(57)【要約】【課題】パネルゲートを折り畳んだときのパネルの突出量を小さくすることができ、かつ、パネルゲートを折り畳む操作も円滑に行うことができるパネルゲートを提供する。【解決手段】隣接する縦桟１１の間に配設されてリンク機構１５の前面を覆うパネル構造２０を備え、前記パネル構造２０は、複数のパネル２２を折り畳み可能に連結した蛇腹状の連結パネル２１と、前記連結パネル２１の両端部２１ａと前記縦桟１１とを固定する固定部２５と、前記連結パネル２１の折り畳みをガイドするために伸縮可能に構成された伸縮機構３０と、を備える。【選択図】図１
2019044529.tif 000002
【特許請求の範囲】
【請求項１】
複数の縦桟と、
隣接する前記縦桟を接近離反可能に接続するリンク機構と、
隣接する前記縦桟の間に配設されて前記リンク機構の前面を覆うパネル構造と、
を備え、
前記パネル構造は、複数のパネルを折り畳み可能に連結した蛇腹状の連結パネルと、前記連結パネルの両端部と前記縦桟とを固定する固定部と、前記連結パネルの折り畳みをガイドするために伸縮可能に構成された伸縮機構と、を備えることを特徴とする、パネルゲート。
【請求項２】
前記連結パネルは、山部と谷部とが交互に形成されており、前記両端部付近と前記谷部付近とが前記伸縮機構に支持されていることを特徴とする、請求項１記載のパネルゲート。
【請求項３】
前記伸縮機構は、少なくとも前記連結パネルの上下２箇所に設けられていることを特徴とする、請求項１または２記載のパネルゲート。
【請求項４】
前記伸縮機構は、複数の傾斜リンクを回動可能に交差させて構成されており、前記複数の傾斜リンクの交差箇所において前記連結パネルを支持していることを特徴とする、請求項１〜３のいずれか１項に記載のパネルゲート。
【発明の詳細な説明】
【技術分野】
【０００１】
この発明は、工事現場の出入り口などに開閉可能に設けられる、折り畳み式のパネルゲートに関する。
【背景技術】
【０００２】
この種のパネルゲートは、例えば特許文献１に記載されているように、複数の縦桟を備えており、隣り合う縦桟の間に対となる２枚のパネルを備えている。対となる２枚のパネルはヒンジ結合されており、縦桟を接近させることで２枚のパネルを重ねて折り畳み可能となっている。
【０００３】
また、ヒンジ結合された対となるパネルは、平面からみて直線状になるまで展張せず、少し折った状態、つまり平面から見て外方に膨らんだ状態に組み付けられる。これにより対となるパネルに折癖がついた状態となり、パネルゲートを折り畳む際に、パネルが折り畳みたい方向と逆に折れ曲がることがなく、折癖に従って円滑に折り畳むことができるようになっている
【先行技術文献】
【特許文献】
【０００４】
【特許文献１】特開２０１０−１２７０４３号公報
【発明の概要】
【発明が解決しようとする課題】
【０００５】
しかし、上記したような従来のパネルゲートでは、パネルの横幅を「縦桟の間隔の１／２」よりも大きく設定する必要がある。このため、パネルゲートを折り畳んだときに、パネルの横幅の分だけパネルが突出することになる。すなわち「縦桟の間隔の１／２」よりも大きく前方にパネルが突出することになる。パネルが前方に大きく突出すると、その分だけパネルゲートが前重心となるため、パネルゲートが倒れやすく不安定になるおそれがあった。
【０００６】
また、こうしたパネルゲートを道路に面した出入り口に設ける場合、折り畳んだパネルが道路側に突出しないように配置する必要がある。よって、パネルが前方に大きく突出する場合、道路側に寄せてパネルゲートを配置することができず、言い換えると、敷地内にオフセットしてパネルゲートを配置しなければならないため、敷地内の作業スペースが狭くなってしまうという問題があった。
【０００７】
なお、縦桟の間隔を狭めればパネルの横幅が狭くなるのでパネルの突出量を減らすことができる。しかしながら、縦桟の間隔を狭めるためには縦桟の本数を増やさなければならないため、部品点数が増加して製造コストが上昇する。また、折り畳んだときの横幅が増加するため、設置スペースの制限ともなる。
【０００８】
また、対となる２枚のパネルが直線状になるまでパネルゲートを展開できるようにすれば、パネルゲートを展開したときの最大幅を維持しつつパネルの横幅を小さくできるので、わずかながらパネルの突出量を減らすことができる。しかしながら、パネルが直線状になるまで展張すると、パネルゲートを円滑に折り畳めない可能性がある。
【０００９】
そこで、本発明は、パネルゲートを折り畳んだときのパネルの突出量を小さくすることができ、かつ、パネルゲートを折り畳む動作も円滑に行うことができるパネルゲートを提供することを課題とする。
【課題を解決するための手段】
【００１０】
本発明は、上記した課題を解決するためになされたものであり、以下を特徴とする。
請求項１記載の発明は、複数の縦桟と、隣接する前記縦桟を接近離反可能に接続するリンク機構と、隣接する前記縦桟の間に配設されて前記リンク機構の前面を覆うパネル構造と、を備え、前記パネル構造は、複数のパネルを折り畳み可能に連結した蛇腹状の連結パネルと、前記連結パネルの両端部と前記縦桟とを固定する固定部と、前記連結パネルの折り畳みをガイドするために伸縮可能に構成された伸縮機構と、を備えることを特徴とする。
【００１１】
請求項２に記載の発明は、上記した請求項１に記載の発明の特徴点に加え、前記連結パネルは、山部と谷部とが交互に形成されており、前記両端部付近と前記谷部付近とが前記伸縮機構に支持されていることを特徴とする。
【００１２】
請求項３に記載の発明は、上記した請求項１または２に記載の発明の特徴点に加え、前記伸縮機構は、少なくとも前記連結パネルの上下２箇所に設けられていることを特徴とする。
【００１３】
請求項４に記載の発明は、上記した請求項１〜３のいずれかに記載の発明の特徴点に加え、前記伸縮機構は、複数の傾斜リンクを回動可能に交差させて構成されており、前記複数の傾斜リンクの交差箇所において前記連結パネルを支持していることを特徴とする。
【発明の効果】
【００１４】
請求項１に記載の発明は上記の通りであり、隣接する縦桟の間に配設されてリンク機構の前面を覆うパネル構造を備え、このパネル構造は、複数のパネルを折り畳み可能に連結した蛇腹状の連結パネルを備える。このような構成によれば、複数の縦桟の間にそれぞれ蛇腹状の連結パネルが設けられているため、縦桟の間に対となる２枚のパネルを設ける従来の構造と比較して、個々のパネルの横幅を小さくすることができる。すなわち、パネルゲートを折り畳んだときのパネルの突出量を小さくすることができる。
【００１５】
また、請求項２に記載の発明は上記の通りであり、連結パネルの折り畳みをガイドするために伸縮可能に構成された伸縮機構を備え、連結パネルは、両端部付近と谷部付近とが伸縮機構に支持されている。このような構成によれば、パネルゲートを折り畳むときに蛇腹状の連結パネルが前後に膨らんでしまうことが防止される。よって、パネルゲートを折り畳む操作を円滑に行うことができる。
【００１６】
しかも、縦桟を接近離反可能に接続するリンク機構とは別に伸縮機構を備えているため、縦桟やリンク機構の配設ピッチとパネルの配設ピッチとを合致させる必要がない。よって、パネルの枚数や配設ピッチを自由に設定することができる。
【００１７】
また、請求項３に記載の発明は上記の通りであり、伸縮機構は、少なくとも連結パネルの上下２箇所に設けられている。このような構成によれば、連結パネルの高さが高い場合でも、連結パネルの全高に合わせて伸縮機構を設ける必要がなく、少なくとも上下２箇所に伸縮機構を設ければよい。すなわち、小さな伸縮機構で効率的に連結パネルの折り畳みをガイドすることができる。
【００１８】
また、請求項４に記載の発明は上記の通りであり、伸縮機構は、複数の傾斜リンクを回動可能に交差させて構成されており、複数の傾斜リンクの交差箇所において連結パネルを支持している。このような構成によれば、伸縮機構を伸縮させて連結パネルを展開または折り畳むときに、連結パネルを支持している箇所のピッチが均等に保たれるので、山部や谷部の角度に偏りが生じず、連結パネルを円滑に折り畳むことができる。
【図面の簡単な説明】
【００１９】
【図１】パネルゲートの（ａ）平面図、（ｂ）正面図、（ｃ）側面図である。
【図２】Ａ部拡大図（連結パネルを簡略表示した図）である。
【図３】縦桟間に取り付けたパネル構造を背面側から見た図である。
【図４】展開したパネル構造の（ａ）平面図、（ｂ）背面図である。
【図５】Ｂ部拡大図である。
【図６】折り畳んだパネル構造の（ａ）平面図、（ｂ）背面図である。
【図７】（ａ）連結パネルおよび伸縮機構の平面図、（ｂ）伸縮機構の正面図である。
【図８】接続部材を断面で示した伸縮機構の側面図である。
【図９】連結パネルと接続部材との接続方法を示す図である。
【発明を実施するための形態】
【００２０】
本発明の実施形態について、図を参照しながら説明する。
本実施形態に係るパネルゲート１０は、工事現場の出入り口などに開閉可能に設けられるものであり、パネル２２が折り重なることで折り畳み可能となっている。このパネルゲート１０は、図１等に示すように、複数の縦桟１１と、隣接する縦桟１１を接近離反可能に接続するリンク機構１５と、隣接する縦桟１１の間に配設されてリンク機構１５の前面を覆うパネル構造２０と、を備える。
【００２１】
縦桟１１は、設置面Ｇに対して立設するように配置される柱状の部材であり、例えば中空のアルミ材で形成されている。この縦桟１１は、図１（ｂ）に示すように、パネルゲート１０を最大幅に伸長させたときに等間隔となるように配設されている。
【００２２】
なお、複数の縦桟１１のうちの少なくとも一部には、脚部１２が設けられている。脚部１２は、縦桟１１の下端に固定される部材であり、パネルゲート１０の設置面Ｇを転動するキャスター１３を備えている。本実施形態に係る脚部１２は、縦桟１１に対して逆Ｔ字形に直交するように固定されており、下面の前後にキャスター１３が回転可能に取り付けられている。
【００２３】
リンク機構１５は、隣り合う縦桟１１の間に複数のリンクバー１６を斜め格子状に交差させて構成されている。交差するリンクバー１６は、軸ピン１７によって互いに回動自在に連結されている。このリンク機構１５は、リンクバー１６の角度と縦桟１１間の距離を変えることにより伸縮できるように構成されている。
【００２４】
パネル構造２０は、各縦桟１１の間に設けられるものであり、言い換えると、リンク機構１５と対になるように、リンク機構１５と同じ数だけ設けられている。具体的には、本実施形態に係るパネルゲート１０は縦桟１１を６本備えているので、これらの縦桟１１の間に５つのパネル構造２０が配設されている。このパネル構造２０は、図２等に示すように、連結パネル２１と、固定部２５と、伸縮機構３０と、を備える。
【００２５】
連結パネル２１は、複数（少なくとも４枚以上）のパネル２２をヒンジによって連結し、折り畳み可能としたものである。本実施形態においては、８枚のパネル２２を横方向に連結することで連結パネル２１が構成されている。この連結パネル２１は、山部２１ｂと谷部２１ｃとが交互に形成された蛇腹状となっており、この山部２１ｂおよび谷部２１ｃの付近で曲折可能となっている。
【００２６】
具体的には、図５に示すように、連結パネル２１の端部２１ａ付近、山部２１ｂ付近および谷部２１ｃ付近には、複数のパネル２２を回動可能に連結する連結ピン２３が設けられている。この連結ピン２３は、縦桟１１に対して平行な軸部材であり、パネル２２に設けられた貫通孔に挿通されている。これにより、連結ピン２３を回動軸としてパネル２２が回動可能となっている。
【００２７】
この連結パネル２１は、図４に示すように、最大まで伸張させた場合でも山部２１ｂおよび谷部２１ｃが直線状になるまで展開することはできないようになっている。このため、連結パネル２１を折り畳む際に、パネル２２が折り畳みたい方向と逆に折れ曲がることがなく、円滑に折り畳めるようになっている
【００２８】
また、この連結パネル２１を折り畳んだときには、図６に示すように、複数のパネル２２が互いに折り重なるようになっている。なお、連結パネル２１を折り畳んだときには、山部２１ｂの頂点がやや前方に移動するので、連結パネル２１の前端部がやや前方に突出することになる。しかしながら、それぞれのパネル２２の幅が小さいため、それほど大きく前方に突出することはない。本実施形態においては、連結パネル２１を折り畳んだときに、連結パネル２１の前端部が脚部１２よりも前方に突出しないように構成されている。
【００２９】
固定部２５は、図４等に示すように、連結パネル２１の両側の端部２１ａに回動可能に固定される部材である。この固定部２５は、連結パネル２１の高さ方向に見て、連結パネル２１よりも短尺で形成されており、連結パネル２１の端部２１ａの複数箇所に取り付けられている。本実施形態においては、連結パネル２１の高さ方向に見て、上下の２箇所に固定部２５が取り付けられており、この上下の２箇所において連結パネル２１の両端部２１ａと縦桟１１とが回動可能に固定されている。
【００３０】
この固定部２５は、一方の端部が連結ピン２３を介して回動可能に連結パネル２１の端部２１ａに固定されており、他方の端部が縦桟１１に固定されている。縦桟１１に固定される方の端部には、図４（ａ）に示すように、平面視略コ字形に形成された抱持部２５ａと、上下に貫通する取付孔２５ｂと、が設けられている。この固定部２５を縦桟１１に固定するときには、抱持部２５ａを縦桟１１の外周面に当接させ、取付孔２５ｂに貫通させたボルトを縦桟１１の受孔（図示せず）に螺着させる。これにより、固定部２５は、縦桟１１に固定されて移動できない状態となる。
【００３１】
伸縮機構３０は、連結パネル２１の折り畳みをガイドするために伸縮可能に構成されるものである。本実施形態に係る伸縮機構３０は、図７等に示すように、複数の傾斜リンク３１を回動可能に交差させて構成されている。具体的には、右上がりの傾斜リンク３１と右下がりの傾斜リンク３１とを交互に連結することで、伸縮自在なパンタグラフ機構を構成している。
【００３２】
各傾斜リンク３１は、回動ピン３２によって回動可能に連結されている。このうち、傾斜リンク３１が交差する箇所には、図８に示すような接続部材３３が回動ピン３２によって取り付けられている。この接続部材３３は、伸縮機構３０を連結パネル２１に結合するための略Ｌ字型の部材であり、回動ピン３２によって傾斜リンク３１に固定される取付部３３ａと、連結パネル２１に固定される突出部３３ｂと、を備える。
【００３３】
取付部３３ａには、回動ピン３２を貫通させる孔が形成されている。この孔に回動ピン３２を貫通させることで、傾斜リンク３１の交差箇所に接続部材３３が取り付けられる。
【００３４】
突出部３３ｂには、連結ピン２３を貫通させる挿通孔３３ｃが形成されている。図９に示すように、この挿通孔３３ｃに連結ピン２３を貫通させることで、連結パネル２１の裏面側に、接続部材３３を介して伸縮機構３０が接続されている。
【００３５】
このような接続部材３３は、図７（ａ）に示すように、連結パネル２１の両端部２１ａ付近と谷部２１ｃ付近とに対応した位置に設けられている。このため、伸縮機構３０は、連結パネル２１の両端部２１ａ付近と谷部２１ｃ付近とを背面側から支持するようになっている。このような構成によれば、パネル構造２０を折り畳むときに蛇腹状の連結パネル２１が前後に膨らんでしまうことが防止される。よって、パネルゲート１０を折り畳む操作を円滑に行うことができる。
【００３６】
しかも、縦桟１１を接近離反可能に接続するリンク機構１５とは別に伸縮機構３０を備えているため、縦桟１１やリンク機構１５の配設ピッチとパネル２２の配設ピッチとを合致させる必要がない。よって、パネル２２の枚数や配設ピッチを自由に設定することができる。
【００３７】
また、上記した伸縮機構３０は、連結パネル２１の上下方向に見て全長に設けられているわけではなく、一部にのみ設けられており、少なくとも連結パネル２１の上下２箇所に設けられている。本実施形態においては、図３に示すように、上下２列の伸縮機構３０が設けられている。このような構成によれば、連結パネル２１の高さが高い場合でも、連結パネル２１の全高に合わせて伸縮機構３０を設ける必要がない。すなわち、小さな伸縮機構３０で効率的に連結パネル２１の折り畳みをガイドすることができる。
【００３８】
また、上記した伸縮機構３０は、図７（ａ）に示すように、複数の傾斜リンク３１の交差箇所と、連結パネル２１の谷部２１ｃとが対応するように配置されている。そして、これらの対応箇所に接続部材３３が設けられ、連結パネル２１と伸縮機構３０とが連結されている。これにより、伸縮機構３０は、複数の傾斜リンク３１の交差箇所において連結パネル２１を支持している。このような構成によれば、伸縮機構３０を伸縮させて連結パネル２１を展開または折り畳むときに、連結パネル２１を支持している箇所のピッチが均等に保たれるので、山部２１ｂや谷部２１ｃの角度に偏りが生じず、連結パネル２１を円滑に折り畳むことができる。
【符号の説明】
【００３９】
１０  パネルゲート
１１  縦桟
１２  脚部
１３  キャスター
１５  リンク機構
１６  リンクバー
１７  軸ピン
２０  パネル構造
２１  連結パネル
２１ａ  端部
２１ｂ  山部
２１ｃ  谷部
２２  パネル
２３  連結ピン
２５  固定部
２５ａ  抱持部
２５ｂ  取付孔
３０  伸縮機構
３１  傾斜リンク
３２  回動ピン
３３  接続部材
３３ａ  取付部
３３ｂ  突出部
３３ｃ  挿通孔
Ｇ  設置面
【図１】
2019044529.tif 000003
【図２】
2019044529.tif 000004
【図３】
2019044529.tif 000005
【図４】
2019044529.tif 000006
【図５】
2019044529.tif 000007
【図６】
2019044529.tif 000008
【図７】
2019044529.tif 000009
【図８】
2019044529.tif 000010
【図９】
2019044529.tif 000011